(57)【要約】【課題】簡単な構造で操作感を向上させることのできるシーソースイッチを提供する。【解決手段】一対のスイッチ素子１２ａ，１２ｂの被操作部２２ａ，２２ｂに対応する位置にそれぞれ押圧部６１ａ，６１ｂを有し、回動変位する回動操作部材６０と、各押圧部６１ａ，６１ｂと被操作部２２ａ，２２ｂとの間に介在する押圧力伝達部材４０ａ，４０ｂと、前記押圧部６１ａ，６１ｂの回動変位に伴って押圧力伝達部材４０ａ，４０ｂを被操作部２２ａ，２２ｂに対して接離する方向に案内する案内部材３１とを設けるとともに、前記押圧部６１ａ，６１ｂと押圧力伝達部材４０ａ，４０ｂとの間に、前記押圧力伝達部材４０ａ，４０ｂに対する前記の押圧部６１ａ，６１ｂの傾斜を許容しつつ、前記押圧部６１ａ，６１ｂの回動変位に前記押圧力伝達部材４０ａ，４０ｂを追従させるだけの粘性を有する粘性材５０を設ける。【選択図】図３
2008140736.tif 000002
【特許請求の範囲】
【請求項１】
押圧操作を受ける被操作部を有する一対のスイッチ素子と、
これらのスイッチ素子の被操作部に対応する位置にそれぞれ押圧部を有し、これらの押圧部同士の間に位置する回動軸を中心として回動変位する回動操作部材と、
当該回動操作部材の各押圧部とこれらに対応するスイッチ素子の被操作部との間にそれぞれ介在し、前記回動操作部材の押圧部から前記スイッチ素子の被操作部に押圧力をそれぞれ伝達する押圧力伝達部材と、
前記押圧力伝達部材が、前記回動操作部材の回動変位に伴って、前記スイッチ素子の被操作部に対して接離する方向に変位して当該スイッチ素子の被操作部を押圧操作するよう、当該押圧力伝達部材を案内する案内部材と、
前記回動操作部材の各押圧部とこの押圧部に対応する前記押圧力伝達部材との間に介在して当該押圧力伝達部材を前記回動操作部材の各押圧部に粘着させる粘性材とを備え、
当該粘性材は、前記押圧力伝達部材に対する前記回動操作部材の押圧部の傾斜を許容しつつ、前記押圧部の回動変位に前記押圧力伝達部材を追従させるだけの粘性を有することを特徴とするシーソースイッチ。
【請求項２】
請求項１に記載のシーソースイッチにおいて、
前記各押圧力伝達部材は、少なくともこの押圧力伝達部材に近接する側に前記回動操作部材が操作されたときに、この操作された側の前記回動操作部材の押圧部と当接して、その押圧力を前記スイッチ素子の被操作部に伝達する当接部を有することを特徴とするシーソースイッチ。
【請求項３】
請求項１または２に記載のシーソースイッチにおいて、
前記押圧力伝達部材と前記回動操作部材の押圧部とが、前記押圧力伝達部材の変位方向と垂直な方向に互いに対向する面をそれぞれ有するとともに、
前記粘性材が当該対向する面どうしの間に介在することを特徴とするシーソースイッチ。
【請求項４】
請求項３に記載のシーソースイッチにおいて、
前記押圧力伝達部材とこれに対応する前記回動操作部材の押圧部のうち一方が、前記回動軸と平行な方向に並ぶ壁部を有するとともに、
他方が、前記壁部間に位置する板部を有しており、
前記粘性材が、前記板部の両側面と前記各壁部の内周面との間に介在することを特徴とするシーソースイッチ。
【請求項５】
請求項４に記載のシーソースイッチにおいて、
前記押圧力伝達部材と前記回動操作部材の押圧部のうち一方が、前記壁部の間に、前記板部と当接可能であって、その当接により前記回動操作部材に加えられた押圧部を前記押圧力伝達部材に伝達する当接面を有することを特徴とするシーソースイッチ。
【発明の詳細な説明】
【技術分野】
【０００１】
本発明は、車両のインストゥルメントパネル等に設けられるシーソースイッチに関するものである。
【背景技術】
【０００２】
車両のインストゥルメントパネル等には、オーディオ機器や冷暖房器具等の各種制御を切換えるためのシーソースイッチが設けられている。このシーソースイッチの従来構造を図９に模式的に示す。このシーソースイッチ５００は、図９に示すように、基板５１０に設けられた一対のスイッチ素子５１２ａ，５１２ｂと、このスイッチ素子５１２ａ，５１２ｂを押圧操作する操作部材５６０と、スイッチ素子５１２ａ，５１２ｂと操作部材５６０との間にそれぞれ介在する押圧力伝達部材５４０ａ，５４０ｂとを有している。前記操作部材５６０はスイッチ素子５１２ａ，５１２ｂに対応する位置にそれぞれ押圧部５６０ａ、５６０ｂを有し、これらの押圧部同士の間に位置する回動軸５６０ｃを中心として回動変位できるよう支持されている。また、前記押圧力伝達部材５４０ａ，５４０ｂは、操作部５６０の回動変位に伴って前記押圧部５６０ａ，５６０ｂが押圧方向に変位することで前記スイッチ素子５１２ａ，５１２ｂをそれぞれ押圧するよう構成されている。
【０００３】
このシーソースイッチ５００では、前記操作部材５６０が押圧操作され、この操作部材５６０が図９（ａ）に示す中立位置から例えば図９（ｂ）に示す位置に回動変位すると、この回動変位に伴って前記操作部材５６０の一方の押圧部５６０ｂが押圧方向に変位し、前記押圧力伝達部材５４０ｂが前記スイッチ素子５１２ｂを押圧する。そして、この押圧状態から前記操作部材５６０を反対側に回動変位させると、操作部材５６０が再び図９（ａ）に示す位置に戻り、スイッチ素子５１２ｂの押圧状態が解除される。ここで、このシーソースイッチ５００では、図９（ｂ）に示すように前記操作部材５６０を中立位置から回動変位させると、当該操作部材５６０の他方の押圧部５６０ａと前記押圧力伝達部材５４０ａとが離間するため、再度前記中立位置に戻した際に前記操作部材の押圧部５６０ａと押圧力伝達部材５４０ａとが衝突して衝突音が発生してしまい使用者等に不快感を与えてしまうという問題がある。
【０００４】
この問題を解決するために、特許文献１には、前記押圧力伝達部材５４０ａ，５４０ｂに、弾性変形した状態で前記操作部材の裏面に常時接触し、その弾発力により前記操作部材に押圧操作の向きと逆向きの付勢力を与えるバネ部を設けたシーソースイッチが開示されている。
【０００５】
このシーソースイッチでは、前記操作部材５６０が中立位置から回動操作され、この操作部材５６０の一方の押圧部５６０ｂが押圧方向に変位しても、他方の押圧部５６０ａの裏面に前記押圧力伝達部材５４０ａのバネ部が接触しているため、この状態から前記操作部材５６０を中立位置に戻しても、前記他方の押圧部５６０ａと前記押圧力伝達部材５４０ａとの急激な衝突が抑止されるため、前記不快感を与えてしまう衝突音の発生が抑制される。
【特許文献１】特開２００６−４０５６２号公報
【発明の開示】
【発明が解決しようとする課題】
【０００６】
しかしながら、前記のシーソースイッチでは、前記押圧力伝達部材５４０にそれぞれバネ部を設けねばならず構造が複雑化してしまうとともに、当該バネ部を弾性変形させた状態でシーソースイッチの組み付けを行う必要があるので、組み付けが困難になってしまうという課題がある。また、前記シーソースイッチでは、前記バネ部の弾発力に抗して当該バネ部を弾性変形させつつ前記操作部材５６０を押圧操作せねばならないため、それ以外のバネ部を有しないスイッチ、例えば、前記衝突音の問題がないために前記バネ部を設ける必要のないプッシュスイッチ等よりも大きな操作力が必要となる。そして、前記シーソースイッチと前記プッシュスイッチ等とを同一のインストゥルメントパネル等に設ける場合には、前記のような操作力のばらつきは使用者に違和感を与えるおそれがある。また、このような操作力の均等化を図るべく、例えば、前記プッシュスイッチ等に本来は必要としない前記バネ部を設けるとすると、装置全体のコストが余計に嵩んでしまう。さらに、前記シーソースイッチでは、操作部材５６０の変位量によって反力が大きく変化してしまうため、前記課題とともに、この操作部材５６０を押圧操作する際の操作感を向上させることが課題となっている。
【０００７】
本発明は、このような事情に鑑み、簡単な構造で操作感を向上させることのできるシーソースイッチの提供を目的とする。
【課題を解決するための手段】
【０００８】
前記課題を解決するために、本発明は、押圧操作を受ける被操作部を有する一対のスイッチ素子と、これらのスイッチ素子の被操作部に対応する位置にそれぞれ押圧部を有し、これらの押圧部同士の間に位置する回動軸を中心として回動変位する回動操作部材と、当該回動操作部材の各押圧部とこれらに対応するスイッチ素子の被操作部との間にそれぞれ介在し、前記回動操作部材の押圧部から前記スイッチ素子の被操作部に押圧力をそれぞれ伝達する押圧力伝達部材と、前記押圧力伝達部材が、前記回動操作部材の回動変位に伴って、前記スイッチ素子の被操作部に対して接離する方向に変位して当該スイッチ素子の被操作部を押圧操作するよう、当該押圧力伝達部材を案内する案内部材と、前記回動操作部材の各押圧部とこの押圧部に対応する前記押圧力伝達部材との間に介在して当該押圧力伝達部材を前記回動操作部材の各押圧部に粘着させる粘性材とを備え、当該粘性材は、前記押圧力伝達部材に対する前記回動操作部材の押圧部の傾斜を許容しつつ、前記押圧部の回動変位に前記押圧力伝達部材を追従させるだけの粘性を有することを特徴とするシーソースイッチを提供する（請求項１）。
【０００９】
この構成では、前記回動操作部材の各押圧部と前記押圧力伝達部材との間に介在する粘性材が前記押圧力伝達部材に対する前記回動操作部材の押圧部の傾斜を許容するような粘性を有しているので、前記回動操作部材を前記スイッチ素子に近接する方向に回動変位させた場合に、当該回動変位を前記押圧力伝達部材の前記スイッチ素子に対する押圧方向の変位に変換して当該スイッチ素子の良好な押圧操作を確保することができる。また、従来のシーソースイッチのように押圧操作の向きと逆向きにバネ部材の付勢力が加えられるものに比べて、押圧操作の向きと逆向きに働く力は小さい。そのため、このシーソースイッチの操作感を他のプッシュスイッチ等の操作感に近づけることができ、このシーソースイッチを他のプッシュスイッチ等と同一のインストゥルメントパネル等に設ける場合には、この装置全体の操作感を向上することが可能になる。
【００１０】
また、前記粘性材は、押圧部の回動変位に前記押圧力伝達部材を追従させるだけの粘性を有しているので、前記回動操作部材を前記スイッチ素子に近接する方向に回動変位させた場合に、前記回動操作部材を前記スイッチ素子から離間する方向に回動変位させた場合には、前記押圧力伝達部材をこの回動変位に追従させて、回動操作部材と押圧力伝達部材とが離れてしまうのを阻止することができる。そのため、前記回動操作部材が再度押圧操作されたときに前記回動操作部材と押圧力伝達部材とが衝突するのが抑止されるので、この衝突により発生する衝突音を抑制することが可能になる。すなわち、本構成によれば、前記のような粘性を有する粘性材を前記回動操作部材の各押圧部と前記押圧力伝達部材との間に介在させ、この押圧部と押圧力伝達部材とを粘着させるという簡単な構成で、衝突音の発生を抑制するとともに操作感を向上させることが可能になる。
【００１１】
また、本発明では、前記各押圧力伝達部材は、少なくともこの押圧力伝達部材に近接する側に前記回動操作部材が操作されたときに、この操作された側の前記回動操作部材の押圧部と当接して、その押圧力を前記スイッチ素子の被操作部に伝達する当接部を有するのが好ましい（請求項２）。
【００１２】
この構成では、前記回動操作部材の押圧部と前記押圧力伝達部材との当接部とが当接することで、回動操作部材に加えられた押圧力が前記スイッチ素子の被操作部に加えられることになるので、スイッチ素子の操作をより確実に行うことが可能になる。
【００１３】
また、本発明では前記押圧力伝達部材と前記回動操作部材の押圧部とが、前記押圧力伝達部材の変位方向と垂直な方向に互いに対向する面をそれぞれ有するとともに、前記粘性材が当該対向する面どうしの間に介在するのが好ましい（請求項３）。
【００１４】
この構成では、前記回動操作部材の押圧部が被操作部から離れる方向に変位する場合、この押圧部と押圧力伝達部材の互いに対向する面同士の間に介在する粘性材には、せん断力が作用することになるので、この粘性材のせん断抵抗を有効に利用して、前記押圧部の回動変位に前記押圧力伝達部材をより確実に追従させることが可能になる。
【００１５】
また、本発明では、前記押圧力伝達部材とこれに対応する前記回動操作部材の押圧部のうち一方が、前記回動軸と平行な方向に並ぶ壁部を有するとともに、他方が、前記壁部間に位置する板部を有しており、前記粘性材が、前記板部の両側面と前記各壁部の内周面との間に介在するのが好ましい（請求項４）。
【００１６】
この構成では、前記板部の両側面と前記各壁部の内周面とが前記粘性により粘着されるので、この押圧力伝達部材と回動操作部材との粘着面積を十分に確保することができ、前記押圧部の回動変位に前記押圧力伝達部材をより確実に追従させることが可能になる。特に、前記壁部が前記回動軸と平行な方向に並んでいるとともに前記板部が当該壁部間に位置しているので、前記回動操作部材が回動変位する際に、この板部と壁部との衝突を抑止でき、回動操作部材の良好な回動変位を確保することができる。
【００１７】
また、前記押圧力伝達部材と前記回動操作部材の押圧部のうち一方が、前記壁部の間に、前記板部と当接可能であって、その当接により前記回動操作部材に加えられた押圧部を前記押圧力伝達部材に伝達する当接面を有するのが好ましい（請求項５）。
【００１８】
このようにすれば、前記押圧力伝達部材と前記回動操作部材との接触面積を十分に確保しつつ、前記回動操作部材に加えられた押圧力を確実にスイッチ素子の被操作部に伝達することができるので、操作確実性が向上する。
【発明の効果】
【００１９】
以上のように、本発明によれば、簡単な構造で操作時の衝突音を抑止して操作感を向上することができるシーソースイッチを提供することができる。
【発明を実施するための最良の形態】
【００２０】
本発明の好ましい実施の形態について、図面を参照しながら説明する。図１は、本発明のシーソースイッチの斜視図であり、図２は前記シーソースイッチを分解して示す分解斜視図である。
【００２１】
図１および図２に示すように、本シーソースイッチ１は、基板１０と、ラバーコンタクト２０と、ホルダー３０と、一対のプッシング（押圧力伝達部材）４０ａ，４０ｂと、グリス（粘性材）５０と、ノブ（回動操作部材）６０と、カバー７０とを有している。
【００２２】
前記基板１０には、一対の対向電極１１ａ，１１ｂが設けられている。また、前記ラバーコンタクト２０には、前記対向電極１１ａ，１１ｂにそれぞれ対向する位置に、表側に突出する被操作部２２ａ，２２ｂが設けられている。そして、この被操作部２２ａ，２２ｂの裏面側には接点２１ａ，２１ｂが貼着されている。前記接点２１ａ，２１ｂは、前記対向電極１１ａ，１１ｂにそれぞれ接触して各対向電極１１ａ，１１ｂを導通させるためものである。また、前記被操作部２２ａ，２２ｂは、後述するプッシング４０ａ，４０ｂにより所定の押圧力が加えられることで前記接点２１ａ，２１ｂを前記対向電極１１ａ、１１ｂにそれぞれ接触させるとともに、前記プッシング４０ａ，４０ｂによる押圧力が解除されることで接点２１ａ，２１ｂと前記対向電極１１ａ、１１ｂとの接触状態を解除するものである。本シーソースイッチ１では、前記対向電極１１ａ，１１ｂ、前記接点２１ａ，２１ｂおよび被操作部２２ａ，２２ｂとにより一対のスイッチ素子１２ａ，１２ｂが構成されている。
【００２３】
前記ノブ６０は、後述するプッシング４０ａ，４０ｂ等を介して前記スイッチ素子１２ａ，１２ｂを操作するためのものである。このノブ６０は、各スイッチ素子１２ａ，１２ｂの被操作部２２ａ，２２ｂに対応する位置にそれぞれこれら被操作部２２ａ，２２ｂ側に突出する押圧部６１ａ，６１ｂを有している。また、このノブ６０は、前記押圧部６１ａ，６１ｂに対応する位置に、使用者等が押圧操作可能な操作部６０ａ，６０ｂを有している。また、このノブ６０は、前記操作部６０ａ，６０ｂ同士の間に後述するホルダー３０の軸受け部３０ｃに保持される回動軸６０ｃを有しており、前記操作部６０ａ，６０ｂが押圧操作されることで、前記回動軸６０ｃを中心として回動変位できるようホルダー３０に保持されている。すなわち、ノブ６０は、図４の（ｂ）に示す中立状態から、例えば操作部６０ａが押圧操作されることで回動変位して、図４の（ａ）に示すような状態に変位する。
【００２４】
また、前記押圧部６１ａ，６１ｂの端部には、図３および図４の断面図に示すように、前記ノブ６０の回動軸６０ｃと平行に板状に延びる板部６３ａ，６３ｂがそれぞれ設けられている。これら板部６３ａ，６３ｂは、前記操作部６０ａ，６０ｂが押圧操作されてプッシング４０ａ，４０ｂに近接する方向に変位した場合に、これらプッシング４０ａ，４０ｂに当接してプッシング４０ａ，４０ｂを押圧するような形状を有している。
【００２５】
また、前記ノブ６０には、その外周に外側に突出する回動規制部６４が設けられている。この回動規制部６４は、ノブ６０の回動変位を規制するためのものであり、後述するカバー７０の規制部７１に当接してノブ６０が所定量以上回動変位しないようにしている。
【００２６】
前記プッシング４０ａ，４０ｂは、前記ノブ６０の押圧部６１ａ，６１ｂから前記被操作部２２ａ、２２ｂに押圧力をそれぞれ伝達するためのものである。これらプッシング４０ａ，４０ｂは、前記ノブ６０の押圧部６１ａ，６１ｂと前記スイッチ素子１２ａ，１２ｂの被操作部２２ａ，２２ｂとの間にそれぞれ設けられている。そして、前記押圧部６１ａ，６１ｂが回動操作されるのに伴って、後述する案内部３１ａ，３１ｂに沿って前記被操作部２２ａ，２２ｂに対して接離する方向に変位し、前記被操作部２２ａ，２２ｂを押圧操作する。
【００２７】
前記プッシング４０ａ，４０ｂには、それぞれノブ６０側に向かって互いに対向するような形状を有する壁部４１ａおよび４１ｂが設けられている。これら壁部４１ａおよび４１ｂは前記ノブ６０の回動軸６０ｃと平行な方向に並んでいる。また、これら壁部４１ａ，４１ｂの間には、前記ノブ６０の板部６３ａ，６３ｂがそれぞれ位置している。具体的には、プッシング４０ａ側に設けられた壁部４１ａの間にノブ６０の板部６３ａが位置しており、プッシング４０ｂ側に設けられた壁部４１ｂの間にノブ６０の板部６３ａが位置している。各壁部４１ａ，４１ｂの内周面と、各壁部４１ａ，４１ｂの間に位置する板部６３ａ、６３ｂの両側面とは、プッシング４０ａ，４０ｂの変位方向と垂直な方向に互いに対向するように位置している。
【００２８】
さらに、これら壁部４１ａ間および４１ｂ間にはそれぞれ前記ノブ６０の板部６３ａ，６３ｂの下端に当接可能な当接面４３ａ、４３ｂが形成されている。そして、この当接面４３ａ，４３ｂと前記板部６３ａ，６３ｂの下端部が当接することで、前記押圧部６１ａ，６１ｂの押圧力がプッシング４０ａ，４０ｂに伝達されるようになっている。
【００２９】
前記グリス５０は、後述するような所定の粘性を有する粘性材であり、図５の拡大図に示すように、前記ノブ６０の各押圧部６１ａ，６１ｂと前記各プッシング４０ａ，４０ｂとの間に介在している。具体的には、前記押圧部６１ａ，６１ｂに設けられた前記板部６３ａ，６３ｂの両側面と前記各壁部４１ａ，４１ｂの内周面との間に介在しており、各壁部４１ａ，４１ｂを前記板部６３ａ，６３ｂにそれぞれ粘着させている。
【００３０】
前記グリス５０としては、前記ノブ６０が回動変位する際に、押圧部６１ａ，６１ｂの回動変位に伴って前記板部６３ａ，６３ｂが前記壁部４１ａ，４１ｂに対してそれぞれ傾斜するのを許容しつつ、これら押圧部６１ａ，６１ｂの回動変位に各プッシング４０ａ，４０ｂを追従させるだけの粘性を有しているものが使用される。すなわち、このグリス５０は、前記板部６３ａ，６３ｂが前記壁部４１ａ，４１ｂに対して傾斜する際に、ずれ変形して、この板部６３ａ，６３ｂの傾斜をスムーズに行わせている。また、このグリス５０は、前記押圧部６１ａ，６１ｂが前記被操作部２２ａ，２２ｂに対して離間する方向に変位する際に、前記板部６３ａ，６３ｂとの界面および前記壁部４１ａ，４１ｂとの界面に発生する抵抗により、壁部４１ａ，４１ｂを板部６３ａ，６３ｂに粘着させたまま前記被操作部２２ａ，２２ｂに対して離間する方向に変位させている。
【００３１】
ここで、前記押圧部６１ａ，６１ｂとプッシング４０ａ，４０ｂとの間に介在させる粘性材としては、前述のように、前記ノブ６０が回動変位する際に、押圧部６１ａ，６１ｂの回動変位に伴って前記板部６３ａ，６３ｂが前記壁部４１ａ，４１ｂに対してそれぞれ傾斜するのを許容しつつ、これら押圧部６１ａ，６１ｂの回動変位に各プッシング４０ａ，４０ｂを追従させるだけの粘性を有しているものであれば、グリス５０に限らない。ただし、グリス５０は比較的安価でかつ長期間にわたって所定の粘性を保つことができるため、前記粘性材としてグリス５０を用いれば、コストを抑制しつつ前記押圧部６１ａ，６１ｂとプッシング４０ａ，４０ｂとをより確実に粘着させることができるという効果がある。
【００３２】
前記ホルダー３０は、前記一対のプッシング４０ａ，４０ｂと前記ノブ６０とを保持するためのものである。このホルダー３０には、前記ノブ６０の回動軸６０ｃを保持するための軸受け部３０ｃが設けられている。そして、このホルダー３０は、前記軸受け部３０ｃと前記回動軸６０ｃとを嵌合させることで、前記ノブ６０を、前記回動軸６０ｃを中心として回動変位可能に保持している。また、このホルダー３０には、前記一対のプッシング４０ａ，４０ｂを、前記スイッチ素子１２ａ，１２ｂの被操作部２２ａ，２２ｂに対して接離する方向に案内する案内部（案内部材）３１ａ，３１ｂが設けられている。この案内部３１ａ，３１ｂは前記被操作部２２ａ，２２ｂからノブ６０側に延びる略筒状を有しており、前記プッシング４０ａ，４０ｂは、その内側に挿入されることで前記被操作部２２ａ，２２ｂに対して接離する方向に案内される。
【００３３】
前記カバー７０は、前記ノブ６０の回動変位量を規制しつつ当該ノブ６０を保護するためのものである。このカバー７０は前記ノブ６０を表側から覆うようにしてホルダー３０に係止されている。また、このカバー７０には、ノブ６０の回動変位を規制するための規制部７１が設けられている。この規制部７１は、ノブ６０が所定量回動変位した時点で前記ノブ６０回動規制部６４と当接して、ノブ６０のさらなる回動変位を規制している。
【００３４】
次に、このシーソースイッチ１の作用を説明する。
【００３５】
前記ノブ６０の操作部６０ａ，６０ｂが何ら操作を受けていない状態では、当該ノブ６０は、図３の（ｂ）および図４の（ｂ）に示すような中立位置に保持されている。この状態では、前記プッシング４０ａ，４０ｂは押圧部６１ａ，６１ｂから押圧力を受けておらず、従って、各スイッチ素子１２ａ、１２ｂの被操作部２２ａ，２２ｂは操作されていない。すなわち、各被操作部２２ａ，２２ｂに設けられた前記各接点２１ａ，２１ｂと、基板１０に設けられた前記各対向電極１１ａ，１１ｂとは離間しており、対向電極１１ａ，１１ｂは導通されていない状態である。
【００３６】
この状態から、例えば前記ノブ６０の操作部６０ａをスイッチ素子１２ａに近接する方向に押圧操作すると、図３の（ｃ）に示すように操作部６０ａに対応する位置に設けられた押圧部６１ａが回動変位し、この押圧部６１ａに設けられた前記板部６３ａが、グリス５０をずれ変形させつつ前記プッシング４０ａの壁部４１ａの間で傾斜し、スイッチ素子１２ａに近接する方向に変位する。これに伴い、前記板部６３ａの下端部が、前記プッシング４０ａの壁部４１ａ間に設けられた当接面４３ａに当接して、プッシング４０ａを押圧する。押圧操作されたプッシング４０ａは、前記のようにホルダー３０の案内部３１ａに沿ってスイッチ素子１２ａに近接する方向に変位し、その下端部で前記押圧突起２２ａを介してスイッチ素子１２ａの被操作部２２ａを押圧する。このようにして、ノブ６０の操作部６０ａに加えられた押圧力がプッシング４０ａを介して被操作部２２ａに伝達され、スイッチ素子１２ａは下方に押圧される。そして、前記接点２１ａが前記対向電極１１ａに接触して、対向電極１１ａが導通される。
【００３７】
ここで、前記グリス５０は板部６３ａの回動変位に伴って粘性変形しているだけであり、板部６３ａにはその回動変位に抗する力はほとんど付与されない。従って、従来のシーソースイッチのように、回動操作部材（ノブ６０の操作部６０ａ）と押圧力伝達部材（プッシング４０ａ）との間にバネ部を設け、このバネ部の弾発力に抗して回動操作部材を操作する場合に比べて、その操作力は格段に小さくなる。
【００３８】
一方、前記のように操作部６０ａをスイッチ素子１２ａに近接する方向に押圧操作すると、他方の押圧部６１ｂはスイッチ素子１２ｂから離間する方向に回動変位する。具体的には、図３の（ａ）に示すように、この押圧部６１ｂに設けられた板部６３ｂが、グリス５０をずれ変形させつつ前記壁部４１ｂの間で傾斜する。そして、この板部６３ｂは、前記グリス５０にせん断力を作用させつつスイッチ素子１２ｂから離間する方向に変位する。このとき、前記壁部４１ｂはグリス５０のせん断抵抗により前記板部６３ｂに粘着したまま、前記案内部３１ｂに沿ってスイッチ素子１２ｂから離間する方向に変位する。すなわち、壁部４１ｂと板部６３ｂとは離れることなく前記スイッチ素子１２ｂから離間する方向に変位する。従って、前記ノブ６０の操作部６０ｂを押圧操作してノブ６０を再び前記中立位置に戻したとしても、壁部４１ｂの当接面４３ｂと板部６３ｂとの衝突は抑制され、この衝突による衝突音の発生が抑制される。
【００３９】
以上のように、本シーソースイッチ１によれば、ノブ６０をスイッチ素子１２ａ，１２ｂに近接する方向に回動変位させた場合、グリス５０がずれ変形するため、前記回動変位を前記プッシング４０ａ，４０ｂのスイッチ素子１２ａ，１２ｂに対する押圧方向の変位にスムーズに変換することができ、これらスイッチ素子１２ａ，１２ｂの良好な押圧操作を確保することができる。特に、グリス５０は単に粘性変形するだけであるので、従来のように前記回動変位に伴ってバネ部等の弾性力が発生する場合に比べて、より小さな操作力で前記回動変位を実現することができる。その結果、同一のインストゥルメントパネル等に本シーソースイッチ１と他のプッシュスイッチ等とを設ける場合には、本シーソースイッチ１の操作感と本シーソースイッチ１に併設される他のプッシュスイッチ等との操作感とを整合することができるので、これらスイッチ類が設けられるインストゥルメントパネル等の全体の操作感を向上することができる。
【００４０】
さらに、前記ノブ６０を前記スイッチ素子１２ａ，１２ｂから離間する方向に回動変位させた場合には、グリス５０の粘性を利用してプッシング４０ａ，４０ｂをこの回動変位に追従させることができるので、ノブ６０とプッシング４０ａ，４０ｂとが離れてしまうのを抑制することができる。その結果、ノブ６０が再度押圧操作され前記中立位置に戻された場合に、このノブ６０とプッシング４０ａ，４０ｂとの衝突を抑止して、衝突音の発生を抑制することができる。
【００４１】
また、前記シーソースイッチ１のように、プッシング４０ａ，４０ｂに壁部４１ａ，４１ｂを設けるとともにノブ６０の押圧部６１ａ，６１ｂにこの各壁部４１ａ，４１ｂ間に位置する板部６３ａ，６３ｂを設け、この壁部４１ａ，４１ｂの内周面と板部６３ａ，６３ｂの外側面とを各プッシング４０ａ，４０ｂの変位方向と垂直な方向に互いに対向させるとともに、前記内周面と外側面との間にグリス５０を介在させるようにすれば、グリス５０と各壁部４１ａ，４１ｂおよび各板部６３ａ，６３ｂとの粘着面積を確保することができる。また、前記押圧部６１ａ，６１ｂが被操作部２２ａ，２２ｂから離間する方向に変位するときには、前記グリス５０にせん断方向の力が作用することになるので、このグリス５０のせん断抵抗を有効に利用して前記押圧部６１ａ，６１ｂの回動変位にプッシング４０ａ，４０ｂをより確実に追従させることが可能になる。
【００４２】
特に、前記各壁部４１ａ，４１ｂの間に前記板部６３ａ，６３ｂとそれぞれ当接する当接面４３ａ，４３ｂを設けておき、これらの当接によって、押圧部６１ａ，６１ｂに加えられた押圧力を被操作部２２ａ，２２ｂにそれぞれ伝達するよう構成すれば、前記押圧力をより確実に被操作部２２ａ，２２ｂに伝達することができ、スイッチ素子１２ａ、１２ｂの操作確実性が向上する。
【００４３】
さらに、前記壁部４１ａ，４１ｂを前記ノブ６０の回動軸６０ｃと平行に並ぶように形成しておけば、前記板部６３ａ，６３ｂの回動変位時に、これら板部６３ａ，６３ｂと壁部４１ａ，４１ｂとの衝突を回避することができるので、板部６３ａ，６３ｂすなわち押圧部６１ａ，６１ｂの良好な動変位を確保することが可能になる。
【００４４】
ここで、前記スイッチ素子１２ａ，１２ｂの構成は前記に限らない。すなわち、前記実施形態のように基板１０上に対向電極１１ａ，１１ｂを設けるとともにラバーコンタクト２０に対向電極１１ａ，１１ｂ等を設ける構成に代えて、基板１０上にいわゆるタクトスイッチを設けるようにしてもよい。
【００４５】
また、前記押圧部６１ａ，６１ｂとプッシング４０ａ，４０ｂの形状は前記に限らない。
【００４６】
すなわち、例えば、図６の（ａ）および図６の（ｂ）に示すように、プッシング１４０ａにノブ１６０の回動軸と垂直な方向に並ぶ壁部１４１ａを設けるとともに、押圧部１６１ａに前記回動軸と垂直な方向に延びる板状部材１６３ａを設けて、これら壁部１４１ａの間に、板状部材１６３ａが位置するように構成してもよい。
【００４７】
また、図７に示すように、ノブ２６０に設けられた押圧部２６１ａの先端にのこぎり歯状の連結部２６３ａを設けるとともに、プッシング２４０ａに前記連結部２６３ａと噛み合うような形状を有する被連結部２４１ａを設け、この噛み合い部分にグリス５０を介在させるようにしてもよい。
【００４８】
また、図８に示すように、ノブ３６０から複数の押圧部３６１ａを突出させ、これら複数の押圧部３６１ａの端部にそれぞれ板部３６３ａを設けるようにしてもよい。そして、各プッシング３４０ａの先端に、これら複数の板部３６３ａの各側面と対向するように延びる複数の板状部材を有する壁部３４１ａを設け、前記板部３６３ａの複数の側面と前記壁部３４１ａの板状部材の側面との間にグリス５０を介在させてやれば、グリス５０と板部３６３ａおよび壁部３４１ａとの接触面積を大きくとることができるので、プッシング３４０ａをより確実に押圧部３６１ａに追従させることが可能になる。
【図面の簡単な説明】
【００４９】
【図１】本発明の実施形態にかかるシーソースイッチの斜視図である。
【図２】図１に示すシーソースイッチの分解斜視図である。
【図３】（ａ）図１に示すシーソースイッチのうち一方のスイッチが押圧操作された状態を示す断面図である。（ｂ）図１に示すシーソースイッチの中立状態を示す断面図である。（ｃ）図１に示すシーソースイッチのうち他方のスイッチが押圧操作された状態を示す断面図である。
【図４】（ａ）図１に示すシーソースイッチのうち一方のスイッチが押圧操作された状態を示す断面図である。（ｂ）図１に示すシーソースイッチの中立状態を示す断面図である。
【図５】図１に示すシーソースイッチの部分拡大断面図である。
【図６】（ａ）本発明の他の実施形態にかかるプッシングの斜視図である。（ｂ）（ａ）のプッシングを備える他の実施形態にかかるシーソースイッチの断面図である。
【図７】（ａ）本発明の他の実施形態にかかるプッシングの斜視図である。（ｂ）（ａ）のプッシングを備える他の実施形態にかかるシーソースイッチの断面図である。
【図８】（ａ）本発明の他の実施形態にかかるプッシングの斜視図である。（ｂ）（ａ）のプッシングを備える他の実施形態にかかるシーソースイッチの断面図である。
【図９】（ａ）従来のシーソースイッチの押圧操作状態を示す断面図である。（ｂ）（ａ）のシーソースイッチの中立状態を示す断面図である。
【符号の説明】
【００５０】
１０  基板
１１ａ，１１ｂ  対向電極
１２ａ，１２ｂ  スイッチ素子
２０  ラバーコンタクト
２１ａ，２１ｂ  接点
２２ａ，２２ｂ  被操作部
３０  ホルダー
３１  案内部（案内部材）
４０  プッシング（押圧力伝達部材）
４１ａ，４１ｂ  壁部
４２ａ，４２ｂ  当接面（当接部）
５０  グリス（粘性材）
６０  ノブ（回動操作部材）
６０ａ，６０ｂ  操作部
６１ａ，６１ｂ  押圧部
６３ａ，６３ｂ  板部
７０  カバー
【図１】
2008140736.tif 000003
【図２】
2008140736.tif 000004
【図３】
2008140736.tif 000005
【図４】
2008140736.tif 000006
【図５】
2008140736.tif 000007
【図６】
2008140736.tif 000008
【図７】
2008140736.tif 000009
【図８】
2008140736.tif 000010
【図９】
2008140736.tif 000011